(57)【要約】      （修正有）【課題】効率よく圧縮後に紐掛けすることができる圧縮減容梱包機を提供する。【解決手段】被圧縮物の収容部と、被圧縮物をプレスするプレス機構２とが共通の枠体に一体になった圧縮減容梱包機１において、圧縮室の前面部に設けた開閉口である扉５と投入口６にそれぞれスリット１０，１１を複数設け、開閉口及び投入口が閉じられた状態で開閉口のスリットと投入口のスリットが一対となって圧縮減容梱包機下部から投入口までの一つの長いスリットを形成するように構成した。【選択図】  図１
2005066623.tif 000002
【特許請求の範囲】
【請求項１】
被圧縮物を収容する圧縮室と、前記圧縮室内の被圧縮物をプレスするプレス機構とが共通の枠体に一体に組み付けられた圧縮減容梱包機において、前記圧縮室の前面部に設けた開閉口及び前記開閉口に設けられた開閉自在な投入口のそれぞれにスリットを複数有し、前記開閉口及び前記投入口が閉じられた状態において前記開閉口のスリットと前記投入口のスリットが一対となって圧縮減容梱包機下部から投入口までの一つの長いスリットを構成するように配置されていることを特徴とする圧縮減容梱包機。
【請求項２】
梱包用の紐の一端部を保持するフックを前記圧縮減容梱包機の下部に有し、前記フックは前記開閉口を閉じた状態で開閉口に設けられたスリットから突出することを特徴とする請求項１記載の圧縮減容梱包機。
【発明の詳細な説明】
【技術分野】
【０００１】
本発明は、紙、紙くず、ダンボール、空き缶、ペットボトル、使用済み建材や残材等の廃棄物や資源ゴミを減容する圧縮減容梱包機に関するものである。
【背景技術】
【０００２】
従来より圧縮減容梱包機は知られており、特開２００３−７１５９５号公報のように、被圧縮物を収納する上方が開口した圧縮容器と、該圧縮容器内の被圧縮物を上方から圧縮するプレス機構が設けられた本体とを分離可能に構成された圧縮減容梱包機が知られている。
【０００３】
また、被圧縮物を収容する収容部と、該収容部内の被圧縮物をプレスするプレス機構とが共通の枠体に一体に組み付けられ、収容部の前面部に設けた開閉口から被圧縮物の投入及び取り出しを行うように構成された圧縮減容梱包機も知られている。
【０００４】
【特許文献１】特開平２００３−７１５９５号公報
【発明の開示】
【発明が解決しようとする課題】
【０００５】
特開２００３−７１５９５号公報のように圧縮容器と本体が分離可能な構成の圧縮減容梱包機は、多量に廃棄物や資源ゴミが出る規模の所であればよいが、そうではない場合には分離させたために圧縮容器と本体のそれぞれが強度的に強くなければならず、結果として一体に組み付けられた装置よりコスト高になる。
【０００６】
そして被圧縮物を収容する収容部と、該収容部内の被圧縮物をプレスするプレス機構とが共通の枠体に一体に組み付けられた圧縮減容梱包機においては、圧縮後の梱包の際、前面部の開閉口を開いてから紐を結ぶ構成となっていた。紐は圧縮した状態で結ぶのであるが、前面部の開閉口を開けると多少なりとも圧縮された被圧縮物が広がってしまう。そのため効率的にかつ安全に行うために開閉口は閉じた状態で紐を結ぶようにしたいという要望が存在していた。
【課題を解決するための手段】
【０００７】
上記の課題を解決するための本発明の請求項１は、被圧縮物を収容する圧縮室と、前記圧縮室内の被圧縮物をプレスするプレス機構とが共通の枠体に一体に組み付けられた圧縮減容梱包機において、前記圧縮室の前面部に設けた開閉口及び前記開閉口に設けられた開閉自在な投入口のそれぞれにスリットを複数有し、前記開閉口及び前記投入口が閉じられた状態において前記開閉口のスリットと前記投入口のスリットが一対となって圧縮減容梱包機下部から投入口までの一つの長いスリットを構成するように配置されていることを特徴とする圧縮減容梱包機である。
【０００８】
本発明により、圧縮後に紐を結ぶ際、開閉口である扉を閉めたままで行えるスリットを有するため課題の解決ができる。上記スリットは扉と被圧縮物を投入する投入口にわたって設けられ、そのスリットが１つのスリットであるかのように配設されているため紐の通し及び結びができるのである。
【０００９】
本発明の請求項２は、梱包用の紐の一端部を保持するフックを前記圧縮減容梱包機の下部に有し、前記フックは前記開閉口を閉じた状態で開閉口に設けられたスリットから突出することを特徴とする請求項１記載の圧縮減容梱包機である。
【００１０】
従来の圧縮減容梱包機では、開閉口である扉の内側に紐の一端を保持するような構成であったため、開かざるえなかった。本発明により、フックに紐の一端を保持させ、扉を閉めるとその保持したフック自体が扉の外側へ突出しているために紐の取り外しが簡単であり、紐が結びやすい構成になった。フックに紐を保持させるだけでよいため、紐をスリットから外側に出しておくようにする手間等が不要で作業効率が大変よい。
【発明の効果】
【００１１】
本発明により、前面部の開閉口を開けると多少なりとも圧縮された被圧縮物が広がってしまうために、開閉口は閉じた状態で紐を結ぶようにしたいという要望に応えることができる圧縮減容梱包機を提供することができる。また、圧縮室とプレス機構とか共通の枠体に設けられている圧縮減容梱包機であるため、コストが安価であり、小規模な所では１台導入すれば良く、大規模な所では複数台の導入を行い、必要な所へ適宜配備することが可能となり、被圧縮物を一カ所にまとめたり、圧縮減容梱包機を設置している所へ配送したりする手間を無くすることができる。
【発明を実施するための最良の形態】
【００１２】
本発明の実施の形態について説明する。図１及び図２は本発明の圧縮減容梱包機１の外観図である。圧縮減容梱包機１の上部には圧縮のためのシリンダー２を有し、このシリンダー２のロッド２ａが圧縮室３に挿通し、ロッド２ａの先端に圧縮板４が設けられている。また、圧縮減容梱包機１の前面に開閉口である扉５が設置され、この扉５に投入口６が開閉自在に設けられている。また、扉５の圧縮室３側と扉５に対抗する圧縮減容梱包機１の圧縮室３側背面には圧縮された被圧縮物の復元を抑えるためのツメ７が複数配列されて設けられている。
【００１３】
底部１ｂには、梱包用の紐をセットするためのガイド溝８が適宜な間隔で複数設けられ、そのガイド溝８付近に梱包用の紐の一方の端部を係止するためのフック９が設けられている。このフック９に対応する位置に扉５にはスリット１０が設けられており、扉５を閉じた時には図１のようにフック９がスリット１０から若干飛び出るようになっている。
【００１４】
フック９での紐の保持の仕方は巻き付けたり、フック９にＶ字型等の溝を配し、その溝へ紐を噛み込ませたりという簡単な方法が好ましい。また紐の端部に丸い輪を結んで作成し、その輪を引っかけるようにしてもよい。圧縮の際にフックから紐が外れたりしないように保持できれば特にその保持の仕方について本発明は限定するわけではない。
【００１５】
扉５に開閉自在に設けられた投入口６には、スリット１０の位置に対応するスリット１１が設けられ、それぞれ垂直方向にスリットがつながった状態に構成されている。また圧縮減容梱包機１の背面１ａにも正面視で同様の位置にスリットが同じく設けられている。
【００１６】
次に本発明の圧縮減容梱包機１の動作の説明を行う。まず、扉５を開き、梱包用の紐Ａを背面側のスリットから圧縮室３へ導入し、ガイド溝８に沿わせて紐Ａの端部をフック９に保持させる。扉５を閉め、投入口６から被圧縮物を圧縮室３へ入れる。（図３参照）
【００１７】
投入口６を閉め、動作スイッチ（図示せず）を押し、シリンダー２を動作させ圧縮板４を下降させて被圧縮物を圧縮する。圧縮後再度シリンダー２を動作させ圧縮板４を上昇させる。再度被圧縮物を投入口６を開いて投入し再度圧縮する。この動作を繰り返し、所定量程度になるまで圧縮を行う。
【００１８】
所定量程度圧縮ができれば、投入口６を開き、圧縮板４を上昇させた状態で紐Ａを背面１ａのスリットから導入し、梱包のために必要な長さを考慮して切断し、切断した端部を投入口６のスリット１１から出し、投入口６を閉じる。（図３の二点鎖線の紐Ａを参照）スリット１１とスリット１０は扉５と投入口６が閉じられた状態ではつながった一つのスリットのように構成されている。この状態で再度圧縮板４を下降させて被圧縮物を圧縮する。圧縮した状態で圧縮減容梱包機１を停止させ、フック９に保持させた端部を外し、先ほど切断した端部と扉５を閉めた状態のままで結び梱包を行う。この時、背面側にも受けられたスリットとガイド溝８があるので圧縮した状態でも圧縮の際にたるんだ紐Ａのたるみを引っ張って解消することができきっちりと紐を結び圧縮した状態で梱包できる。紐を全て結び終えると圧縮板４を上昇させ、扉５を開き減容させた被圧縮物を取り出す。
【００１９】
上記の実施の形態では紐Ａは扉５側だけに設置したが、圧縮減容梱包機１の側面方向にも設置して梱包の紐Ａを十字に複数箇所結べるようにしてもよい。また、圧縮時には被圧縮物が本体の側壁や背面及び扉６を押し、それら側壁や背面及び扉６が板部材であれば多少ふくらんだ状態となることもある。そのため投入口６の開閉は蝶番等を使用すればよいのであるが、この圧縮時の変形の力が蝶番にかかってしまうと蝶番が壊れてしまう。またスリットを設けたために投入口や扉の強度がなくなってしまう等の問題も発生する。これを防ぐために適宜補強部材を溶接や、折り曲げでリブ１２を構成すればよいが、その際にはスリット１０及びスリット１１から出た紐Ａの取り扱いの邪魔にならぬよう図４に示すようにスリット付近においては適宜リブ部に抜き部１３を構成しておくと良い。このリブは複数設けてもよく、投入口６や扉５などに適宜複数設けることができる。扉や投入口等できるだけ軽量にするためには板厚を薄くするのがよいがスリットを設けると逆に強度がなくなってしまう。そのためにリブ等を設け軽量でかつ強度もある構成とすることが望ましい。
【００２０】
また、ガイド溝８を無くし、圧縮板４へ紐Ａが通過できるような溝を設けガイド溝の役割を持たせる構成とすることも可能である。紐かけは圧縮した状態で行うため、圧縮の際にたるんだ紐のたるみをとりながらきっちりと梱包できることが本発明においては必要であり、そのためにガイド溝８や圧縮板側に同種の溝を設ける等種々の構成が採用できる。
【図面の簡単な説明】
【００２１】
【図１】本発明の一例を説明する外観図
【図２】本発明の圧縮減容梱包機の扉を開いた状態の説明図
【図３】梱包用の紐のセット状態の説明図
【図４】購入口付近の補強のためのリブ構造に関する説明図
【符号の説明】
【００２２】
Ａ    紐
１    圧縮減容梱包機
１ａ  背面
１ｂ  底部
２    シリンダー
３    圧縮室
４    圧縮板
５    扉
６    投入口
７    ツメ
８    ガイド溝
９    フック
１０    スリット
１１    スリット
【図１】
2005066623.tif 000003
【図２】
2005066623.tif 000004
【図３】
2005066623.tif 000005
【図４】
2005066623.tif 000006